(57)【要約】【課題】メンテナンス性及び構造の自由度を改善することができる撮像装置を提供する。【解決手段】本技術の一形態に係る撮像装置は、光学レンズと、撮像素子と、調光ユニットと、支持部材とを具備する。光学レンズは、第１の軸方向に光軸を有する。撮像素子は、第１の軸方向において光学レンズと対向する。調光ユニットは、光学レンズから撮像素子への入射光束を変調する調光部を有し、第１の軸方向に直交する第２の軸方向から光学レンズと撮像素子との間に装着されることで調光部を光軸上に配置する。支持部材は、光学レンズを支持する第１の支持部と、撮像素子を支持する第２の支持部と、第１の支持部と第２の支持部とを相互に連結する連結部とを有する。支持部材は、第１の支持部と第２の支持部と連結部との間に、第１の軸方向及び第２の軸方向とに各々直交する第３の軸方向において調光ユニットが貫通する空間部を形成する。【選択図】図６
2012220721.tif 000002
【特許請求の範囲】
【請求項１】
第１の軸方向に光軸を有する光学レンズと、
前記第１の軸方向において前記光学レンズと対向する撮像素子と、
前記光学レンズから前記撮像素子への入射光束を変調する調光部を有し、前記第１の軸方向に直交する第２の軸方向から前記光学レンズと前記撮像素子との間に装着されることで前記調光部を前記光軸上に配置する調光ユニットと、
前記光学レンズを支持する第１の支持部と、前記撮像素子を支持する第２の支持部と、前記第１の支持部と前記第２の支持部とを相互に連結する連結部とを有し、前記第１の支持部と前記第２の支持部と前記連結部との間に、前記第１の軸方向及び前記第２の軸方向とに各々直交する第３の軸方向において前記調光ユニットが貫通する空間部を形成する支持部材と
を具備する撮像装置。
【請求項２】
請求項１に記載の撮像装置であって、
前記撮像素子は、ＣＭＯＳイメージャであり、
前記調光ユニットは、前記調光部として前記入射光束を所定周期で遮蔽する遮光機構を有するメカニカルシャッタである
撮像装置。
【請求項３】
請求項１に記載の撮像装置であって、
前記調光部は、前記入射光束の光量を調節するフィルタである
撮像装置。
【請求項４】
請求項１に記載の撮像装置であって、
前記調光ユニットは、前記第１の支持部と係合する第１の係合部と、前記第２の支持部と係合する第２の係合部と、前記第２の軸方向において前記連結部と対向する挿入端部とを含む本体をさらに有する
撮像装置。
【請求項５】
請求項４に記載の撮像装置であって、
前記調光部は、前記本体に形成され前記空間部に臨む開口と、前記開口を介して前記光軸上に配置される調光部材とを有し、
前記第１の係合部及び前記第２の係合部は、前記開口の周縁部にそれぞれ形成される
撮像装置。
【請求項６】
請求項４に記載の撮像装置であって、
前記第１の支持部と前記第１の係合部との間をシールする第１のシール部と、前記第２の支持部と前記第２の係合部との間をシールする第２のシール部と、前記連結部と前記挿入端部との間をシールする第３のシール部とを有するシール部材をさらに具備する
撮像装置。
【請求項７】
請求項４に記載の撮像装置であって、
前記調光ユニットは、前記第２の軸方向に延在し、前記調光部を挟んで前記第３の軸方向に相互に対向する、前記本体に固定された一対のガイドレールをさらに有し、
前記支持部材は、前記一対のガイドレールにそれぞれ係合し、前記調光ユニットの前記第２の軸方向への移動をガイドするガイド部をさらに有する
撮像装置。
【請求項８】
請求項１に記載の撮像装置であって、
前記支持部材と前記調光ユニットとを共通に支持するベース部をさらに具備する
撮像装置。
【請求項９】
請求項８に記載の撮像装置であって、
前記調光ユニットは、前記ベース部と前記本体との間に配置され前記本体を前記ベースに弾性的に支持する弾性部材をさらに有する
撮像装置。
【発明の詳細な説明】
【技術分野】
【０００１】
本技術は、挿脱可能なシャッタ機構を備えた撮像装置に関する。
【背景技術】
【０００２】
従来より、銀塩フィルム、撮像素子等を使用したカメラとして、挿脱可能なシャッタ機構及びその駆動手段を備えた撮像装置が知られている（例えば、特許文献１参照。）。さらに、CMOSイメージャ等の撮像素子を使用し、動画等を撮像する装置には、撮像光学系に対して着脱自在のメカニカルシャッタやフィルタ等が使用されることがある。
【先行技術文献】
【特許文献】
【０００３】
【特許文献１】特開２００５−２６６２１０号公報
【発明の概要】
【発明が解決しようとする課題】
【０００４】
しかしながら、適用できるシャッタ機構の大きさに制限が生じたり、挿脱構造が複雑化することで作業性が低下したりするおそれがあり、メンテナンス性及び構造の自由度の向上といった要求に応えることが困難であった。
【０００５】
以上のような事情に鑑み、本技術の目的は、メンテナンス性及び構造の自由度を改善することができる撮像装置を提供することにある。
【課題を解決するための手段】
【０００６】
上記目的を達成するため、本技術の一形態に係る撮像装置は、光学レンズと、撮像素子と、調光ユニットと、支持部材とを具備する。
上記光学レンズは、第１の軸方向に光軸を有する。
上記撮像素子は、上記第１の軸方向において上記光学レンズと対向する。
上記調光ユニットは、上記光学レンズから上記撮像素子への入射光束を変調する調光部を有し、上記第１の軸方向に直交する第２の軸方向から上記光学レンズと上記撮像素子との間に装着されることで上記調光部を上記光軸上に配置する。
上記支持部材は、上記光学レンズを支持する第１の支持部と、上記撮像素子を支持する第２の支持部と、上記第１の支持部と上記第２の支持部とを相互に連結する連結部とを有する。上記支持部材は、上記第１の支持部と上記第２の支持部と上記連結部との間に、上記第１の軸方向及び上記第２の軸方向とに各々直交する第３の軸方向において上記調光ユニットが貫通する空間部を形成する。
【０００７】
上記撮像装置において、調光ユニットは、光学レンズと撮像素子との間に装着されることで、調光部を光学レンズの光軸上に配置される。ここで、上記支持部材は、調光ユニットが上記第３の軸方向に貫通可能な空間部を有するため、調光ユニットが大型化しても、調光部がレンズの光軸上に配置されるように、調光ユニットを支持部材に組み付けることができる。
【０００８】
上記撮像素子は特に限定されず、例えばＣＭＯＳイメージャが適用可能であるこの場合、上記調光ユニットとしては、上記調光部として上記入射光束を所定周期で遮蔽する遮光機構を有するメカニカルシャッタを適用することができる。
【０００９】
メカニカルシャッタのように比較的大型の遮光機構を有する調光ユニットであっても、支持部材が上記空間部を有するため、組み付けに際して大きさの制限が緩和される。
【００１０】
また、上記調光部は、上記入射光束の光量を調節するフィルタであってもよい。
このような調光部を採用することによって、撮像素子に対して所望の光量で被写体光束を入射することができる。
【００１１】
上記調光ユニットは、上記第１の支持部と係合する第１の係合部と、上記第２の支持部と係合する第２の係合部と、上記第２の軸方向において上記連結部と対向する挿入端部とを含む本体をさらに有してもよい。
支持部材との間に係合構造を有するため、組み付けの際に、光学レンズ及び撮像素子に対する調光部の位置決めが可能となり、その後の光軸調整が不要となる。
【００１２】
また、上記調光部は、上記本体に形成され上記空間部に臨む開口と、上記開口を介して上記光軸上に配置される調光部材とを有していてもよい。この場合、上記第１の係合部及び上記第２の係合部は、上記開口の周縁部にそれぞれ形成される。
本体の開口を係合部として構成することで、組み付け後において支持部材により本体の内部を外部から遮断できる。
【００１３】
上記撮像装置は、上記第１の支持部と上記第１の係合部との間をシールする第１のシール部と、上記第２の支持部と上記第２の係合部との間をシールする第２のシール部と、上記連結部と上記挿入端部との間をシールする第３のシール部とを有するシール部材をさらに具備してもよい。
これによって、係合部のシール性を高め、防塵効果を高められるとともに、遮光性も高めることができる。
【００１４】
上記調光ユニットは、上記第２の軸方向に延在し、上記調光部を挟んで上記第３の軸方向に相互に対向する、上記本体に固定された一対のガイドレールをさらに有していてもよい。この場合、上記支持部材は、上記一対のガイドレールにそれぞれ係合し、上記調光ユニットの上記第２の軸方向への移動をガイドするガイド部をさらに有する。
これによって、支持部材に対する調光ユニットの組み付け性を高めることができる。
【００１５】
上記撮像装置は、上記支持部材上記調光ユニットとを共通に支持するベース部をさらに具備してもよい。
これによって、支持部材に対して調光ユニットを安定に固定できる。
【００１６】
また、上記調光ユニットは、上記ベース部と上記本体との間に配置され上記本体を上記ベースに弾性的に支持する弾性部材をさらに有してもよい。
これによって、調光ユニットの駆動時に発生する振動の絶縁効果を高めることができる。
【発明の効果】
【００１７】
以上のように、本技術によれば、調光ユニットの構造的な自由度を高めることができ、さらにメンテナンス性の向上も図れる撮像装置を提供することができる。
【図面の簡単な説明】
【００１８】
【図１】本技術の一実施形態に係る撮像装置の全体構造を示した概略斜視図である。
【図２】本技術の一実施形態に係る撮像装置の全体構造を示した概略正面図である。
【図３】本技術の一実施形態に係る撮像モジュールの構造を示した正面図である。
【図４】上記撮像モジュールの要部を分離して示す正面図である。
【図５】図４のＡ方向からの上面図である。
【図６】上記撮像モジュールの要部を分離して示す斜視図である。
【図７】上記撮像モジュールの斜視図である。
【図８】本技術の他の実施形態に係る撮像モジュールの要部を分解して示す斜視図である。
【図９】本技術の他の実施形態に係る撮像モジュールの斜視図である。
【発明を実施するための形態】
【００１９】
以下、本技術に係る実施形態を、図面を参照しながら説明する。
【００２０】
＜第１の実施形態＞
（撮像装置の全体構成）
図１は、本技術の一実施形態に係る撮像装置１を示す概略斜視図であり、図２は概略正面図である。撮像装置１は、動画撮影用のカメラであり、撮像モジュール２と、撮像モジュール２を収容するケーシング３及びサイドカバー４とを有する。また撮像装置１は、光学レンズ６とフロントベース（ベース部）５とを有し、ケーシング３とサイドカバー４とフロントベース５とで撮像装置１の外装が構成されている。なお、図中のＺ軸（第３の軸）は鉛直方向（重力方向）を示し、Ｘ軸（第１の軸）及びＹ軸（第２の軸）は平面方向をそれぞれ示す。
【００２１】
（撮像モジュール）
図３は、撮像装置１内における撮像モジュール２の正面図である。図４は、撮像モジュール２の主要部を分解した正面図であり、図５は図４のＡ方向からの上面図である。撮像モジュール２は、光学ブロック２０とメカニカルシャッタ３０とを有し、これらがＹ軸方向に互いに組み付けられることで撮像モジュール２が構成されている。なお、図３において、ケーシング３、サイドカバー４及びフロントベース５は破線で示している。
【００２２】
光学ブロック２０は、光学レンズ６を支持するレンズマウント２１と、撮像素子２２と、レンズマウント２１と撮像素子２２とを支持する支持部材２３とを有する。レンズマウント２１は、フロントベース５に形成された開口５ａを介して外部に露出される。一方、メカニカルシャッタ３０は、円盤状を呈する本体３１と、本体３１に設けられた調光部３２とを有する。
【００２３】
なお、調光とは、光学レンズ６から入射した光束を変調することをいい、例えば、入射光の強度を変化させる、遮光する等の撮像素子２２へ入射する光束の調整をいう。本実施形態では、調光ユニットとしてメカニカルシャッタ３０が採用されており、本体３１は光学ブロック２０より大きく構成されている。
【００２４】
光学レンズ６は、Ｘ軸方向に光軸を有し、Ｘ軸と直交する面に沿って配置されたレンズマウント２１に支持されている。光学レンズ６は、典型的には、交換レンズであり、撮像目的に応じて使い分けられる。なお、光学レンズ６は固定レンズであってもよく、この場合、レンズマウント２１の代わりに光学レンズが設置されてもよい。
【００２５】
光学レンズ６を通過した光束は、メカニカルシャッタ３０の調光部３２によって所定の調光処理を受ける。調光部３２を通過した光束は、Ｘ軸方向に光学レンズ６（レンズマウント２１）と対向して配置された撮像素子２２上に結像する。
【００２６】
本実施形態に係る撮像モジュール２は、光学ブロック２０とメカニカルシャッタ３０とがＹ軸方向に相互に組み付けられて構成されるが、これらは相互に分離も可能である。次に、これらが分離した状態の概略図を用いて、光学ブロック２０及びメカニカルシャッタ３０の構成の詳細を説明する。
【００２７】
（光学ブロック）
図５に示すように光学ブロック２０は、レンズマウント２１と、撮像素子２２と、支持部材２３とを有する。支持部材２３はさらに、レンズマウント２１を支持する第１の支持部２４と、撮像素子２２を支持する第２の支持部２５と、第１の支持部２４と第２の支持部２５とを相互に連結する連結部２６とを有する。
【００２８】
第１の支持部２４は、Ｘ軸と直交する面に沿って配置されている。これにより、光学レンズ６はその光軸がＸ軸と平行となるようにレンズマウント２１を介して第１の支持部２４に支持されている。本実施形態においてレンズマウント２１は、第１の支持部２４の一部として構成される。
【００２９】
また、第２の支持部２５は、Ｘ軸と直交する面に沿って配置されており、撮像素子２２は、その撮像面がＸ軸方向にレンズマウント２１と対向して配置されるように第２の支持部２５に支持されている。撮像素子２２とレンズマウント２１との距離は、連結部２６によって設定されており、その距離は光学レンズ６を入射した光束が撮像素子２２上で結像する距離、すなわち、光学レンズ６の焦点距離に応じて設定される。
【００３０】
撮像素子２２として、例えば、ＣＭＯＳ（Complementary Metal Oxide Semiconductor）イメージャ、ＣＣＤ（Charge Coupled Device）イメージャなどが採用されるが、本実施形態ではＣＭＯＳイメージャが用いられている。ＣＭＯＳイメージャは、ＣＭＯＳを用いた固体撮像素子であり、ＣＣＤイメージャと比較して、低コストであり、消費電力も低いという特徴を持つ。
【００３１】
支持部材２３の第１の支持部２４と第２の支持部２５とは、Ｘ軸方向に対向しており、本実施形態ではレンズマウント２１及び撮像素子２２の周縁を支持するための矩形環状等の枠体で構成されている。なお、これらの形状及び大きさは、撮影光路を妨げず、光学レンズ６及び撮像素子２２が支持できれば、特に制限されない。また、支持部材２３の構成材料は適度な強度を有すれば特に制限されず、典型的には金属材料で構成される。
【００３２】
支持部材２３の連結部２６は、第１の支持部２４と第２の支持部２５とが所定の距離を維持するよう、第１の支持部２４及び第２の支持部２５のＺ軸方向に延在する各々の一端を相互に連結している。
【００３３】
第１の支持部２４、第２の支持部２５及び連結部２６間には空間部Ｐが形成される。空間部Ｐは、メカニカルシャッタ３０をＺ軸方向に貫通させた状態で組み付けられるように形成されている。本実施形態では、支持部材２３は概略六面体で形成され、空間部Ｐは、Ｚ軸方向に対向する２つの側面と、Ｙ軸方向に連結部２６と対向する１つの側面がそれぞれ開放された形態を有する。
【００３４】
（メカニカルシャッタ）
メカニカルシャッタ３０は、金属製の本体３１と、調光部３２とを有する。本体３１は、浅皿形状の２枚のシェルをＸ軸方向に組み合わせて構成され、本実施形態では光学ブロック２０と比較して大きな円盤形状を有している。なお、本体３１の大きさ及び形状は、空間部Ｐに嵌合可能であり、調光部３２の機能を損なうことがなければ、特に制限されない。
【００３５】
メカニカルシャッタ３０は、光学レンズ６から入射した光束を所定周期で遮蔽する遮光機構を有する。遮光機構は、本体３１内部に回転可能に配置された調光部材としてのシャッタ羽根と、シャッタ羽根を支持する回転軸と、シャッタ羽根を回転させる駆動部３２２とから構成される。また、調光部３２は、本体３１の周囲の一部に形成された開口Ｆと、当該開口Ｆから外部へ露出する上記シャッタ羽根とにより構成される。開口Ｆは、本体３１を形成する上記２枚のシェルにそれぞれ形成された、Ｘ軸方向に対向する２つの開口部で構成される。
【００３６】
上記シャッタ羽根は、典型的には、２枚の扇型の遮光板を有しており、これらが本体３１内部の略中心に設置された回転軸の周囲に回転する。遮光板の枚数及び形状に関しては、これに限られず、露光時間、シャッタ速度等に応じて適宜設定可能である。駆動部３２２は、典型的には電動モータであり、回転軸に接続されて一定の速度でシャッタ羽根を回転させる。本実施形態の動画撮影用撮像装置１では、毎秒１２０フレームで撮影が可能なように２枚のシャッタ羽根が回転される。これにより、ＣＭＯＳイメージャを用いた撮像装置において、撮像素子２２への受光の開始と終了を全画素について共通化することができ、画像に歪みを生じさせることなく動画を撮影することが可能となる。
【００３７】
以上のような構成のメカニカルシャッタ３０は、光学ブロック２０の空間部ＰにＹ軸方向から装着され、開口Ｆ（調光部３２）が光学レンズ６から撮像素子２２へ入射する被写体光束の光軸上に配置される。
【００３８】
空間部ＰはＺ軸方向にメカニカルシャッタ３０が貫通可能に形成されているため、メカニカルシャッタ３０のような比較的大型の調光ユニットであっても、調光部３２を支持部材２３に適正かつ容易に組み付けることができる。すなわち、メカニカルシャッタ３０の構造や光学ブロック２０への組み立てに係る自由度が高まり、組み立て、修理、交換等も容易となるためメンテナンス性が向上する。また、比較的大型のメカニカルシャッタ３０でも光学ブロック２０に容易かつ適正に組み付けることができ、組み付けに際して大きさの制限を緩和することができる。
【００３９】
次に、光学ブロック２０とメカニカルシャッタ３０との組み付け構造について図３〜図７を参照して詳細に説明する。ここで図６、図７は、光学ブロック２０とメカニカルシャッタ３０との組み付け前後の態様を示した斜視図であり、図６は組み付け前の斜視図、すなわち分離した態様の斜視図を示し、図７は組み付け後の斜視図を示す。
【００４０】
（光学ブロックとメカニカルシャッタとの組み付け構造）
メカニカルシャッタ３０の本体３１は、第１の係合部３１１と、第２の係合部３１２と、挿入端部３１３とを有する。
【００４１】
第１の係合部３１１と第２の係合部３１２とは、本体３１に形成された開口Ｆの周縁にそれぞれ形成されており、これらが第１の支持部２４及び第２の支持部２５の、連結部２６と連結した１辺を除く３辺の周縁とそれぞれ係合するように構成されている。
【００４２】
ここで、第１の係合部３１１は、本体３１を形成する一方のシェルの上記開口部の周縁に沿って形成されたリブ構造を有し、第２の係合部３１２は、本体３１を形成する他方のシェルの上記開口部の周縁に沿って形成されたリブ構造を有する。第１及び第２の係合部３１１，３１２は、第１及び第２の支持部２４，２５にそれぞれ対応する形状を有し、支持部材２３に対して本体３１がＹ軸方向に組み付けられることで、各係合部３１１，３１２が各支持部２４，２５にそれぞれ係合する。
【００４３】
挿入端部３１３は、本体３１が支持部材２３に組み付けられた際、空間部Ｐの内部でＹ軸方向に連結部２６と対向するよう、本体３１の側面に形成されている。また本実施形態において、挿入端部３１３は、本体３１の周縁部に形成され、第１の係合部３１１と第２の係合部３１２とをそれぞれ連接するリブ構造を有する。
【００４４】
このように、支持部材２３と本体３１との間に係合構造を設けることによって、組み付けの際に、光学レンズ６及び撮像素子２２に対する調光部３２の位置決めが可能となり、その後の光軸調整が不要となる。さらに、開口Ｆの周縁に係合構造を形成することにより、組み付け後は支持部材２３によって本体３１の内部を外部から遮断することができ、入射光以外の遮光性も向上させることができる。
【００４５】
また本実施形態の撮像モジュール２は、シール部材Ｓをさらに有する。シール部材Ｓは、図６に示すように本体３１と支持部材２３とが係合する部分に設けられる。シール部材Ｓは、第１の係合部３１１と第１の支持部２４との間をシールする第１のシール部Ｓ１と、第２の係合部３１２と第２の支持部２５との間をシールする第２のシール部Ｓ２と、連結部２６と挿入端部３１３との間をシールする第３のシール部Ｓ３とを有する。
【００４６】
シール部材Ｓは、単一の矩形環状のシール部材を屈曲させることで成形されるシール部材Ｓはゴム材料で構成され、材料の種類は特に限定されず、適度な弾力性を有し、十分な密着性とシール性を発揮できる材料であればよい。
【００４７】
支持部材２３と本体３１との間にシール部材Ｓを設けることにより、メカニカルシャッタ３０と光学ブロック２０との係合部のシール性を高めることができる。すなわち、調光部３２の防塵効果が高まり、撮影画像の画質低下を防止することができる。
【００４８】
さらに本実施形態においては、メカニカルシャッタ３０の駆動時に生じる振動が支持部材２３へ伝達することをシール部材Ｓによって効果的に抑制され、これにより撮影光学系への影響を排除することができる。
【００４９】
一方、本実施形態の撮像モジュール２は、光学ブロック２０へのメカニカルシャッタ３０の組み付けをガイドするガイドフレーム３１４を有する。ガイドフレーム３１４は、本体３１に固定されており、その一部にＹ軸方向に延在し開口Ｆを挟んでＺ軸方向に相互に対向する一対のガイドレール３１４ａ，３１４ｂが形成されている。一方、光学ブロック２０のレンズマウント２１には、ガイドレール３１４ａ，３１４ｂにそれぞれ係合することが可能な一対のガイド２３１ａ，２３１ｂが固定されている。ガイド２３１ａ，２３１ｂは、本実施形態ではガイドレール３１４ａ，３１４ｂの縁部に係合可能なガイドローラーで構成されているが、これに限られず、柱状、レール状等の他のガイド構造が採用されてもよい。
【００５０】
光学ブロック２０へメカニカルシャッタ３０を組み付ける際、図４〜図６に示すようにまずガイド２３１ａ，２３１ｂにガイドレール３１４ａ，３１４ｂをそれぞれ係合させる。そして、光学ブロック２０の空間部Ｐ内へ、Ｙ軸方向に沿ってメカニカルシャッタ３０を挿入する。このとき、ガイド２３１ａ，２３１ｂはガイドレール３１４ａ，３１４ｂに沿ってＹ軸方向に走行する。これにより支持部材２３の第１及び第２の支持部２４，２５と本体３１の第１及び第２の係合部３１１，３１２との適正な係合作用を確保することができる。
【００５１】
ガイドフレーム３１４には、ガイドレール３１４ａ，３１４ｂ上を走行するガイド２３１ａ，２３１ｂの終端位置を規定する突起３１４ｃ，３１４ｄがそれぞれ形成されている。本実施形態では、本体３１の挿入端部３１３がシール部材Ｓの第３のシール部Ｓ３に密着する位置で、ガイド２３１ａ，２３１ｂが突起３１４ｃ，３１４ｄにそれぞれ係合する。これにより第３のシール部Ｓ３に過度な圧縮負荷が作用することを防止できるため、シール部材Ｓの耐久性を確保することができる。
【００５２】
以上のような構造のガイドレール３１４ａ，３１４ｂ及びガイド２３１ａ，２３１ｂを設置することにより、光学ブロック２０の支持部材２３に対するメカニカルシャッタ３０の組み付け性を高めることができる。一方、光学ブロック２０からのメカニカルシャッタ３０の分離は、上述とは逆の操作で行うことができる。本実施形態によれば、光学ブロック２０とメカニカルシャッタ３０との組み立て及び分解が容易に行えるため、撮像モジュール２のメンテナンス作業や調光ユニットの交換作業を容易かつ適正に行うことができる。
【００５３】
光学ブロック２０及びメカニカルシャッタ３０は、撮像モジュール２を構成し、光学ブロック２０とメカニカルシャッタ３０とがフロントベース５に共通に支持されている（図１，２）。これによって、光学ブロック２０に対してメカニカルシャッタ３０を安定に固定することができる。
【００５４】
なお、フロントベース５に対する光学ブロック２０及びメカニカルシャッタ３０の支持方法としては、例えば、フロントベース５に対して光学ブロック２０及びメカニカルシャッタ３０を各々ネジ止めする方法が採用されるが、安定的に支持することができれば、この方法に限らない。本実施形態では、メカニカルシャッタ３０のガイドフレーム３１４と、光学ブロック２０のレンズマウント２１とが、それぞれフロントベース５に対してネジ止めされる。
【００５５】
ここで、本実施形態では調光ユニットとしてメカニカルシャッタ３０が採用されていることから、遮光機構の駆動によって振動が起きることがある。この振動がフロントベース５に伝達されることを防止するため、本実施形態ではメカニカルシャッタ３０の本体３１とガイドフレーム３１４との各取付け部に弾性部材あるいは防振部材Ｒを介在させている（図５参照）。このように本体３１はフロントベース５及び光学ブロック２０の各々にシール部材Ｓ及び弾性部材Ｒを介して弾性的に支持されることで、フロントベース５及び光学ブロック２０に対するメカニカルシャッタ３０の位置決めを確保しつつ、振動の絶縁効果を高めることができる。
【００５６】
以上のように本実施形態によれば、メカニカルシャッタ３０のように比較的大型の調光ユニットを光学ブロック２０に適正かつ容易に組み付けることが可能である。これにより、光学ブロック２０に組み付けられる調光ユニットの構造の自由度が向上するとともに、メンテナンス性にも優れている。また、組み付け後における光学ブロック２０と調光部３２との間の光軸調整も不要となり、防塵性、遮光性も確保することができる。
【００５７】
＜第２の実施形態＞
図８及び図９は、本技術の第２の実施形態に係る撮像モジュール２の分解斜視図であり、これらは第１の実施形態において説明した図６及び図７に各々対応する図である。本実施形態では、第１の実施形態の構成および作用と同様な部分についてはその説明を省略または簡略化し、第１の実施形態と異なる部分を中心に説明する。
【００５８】
本実施形態の撮像モジュール７は、第１の実施形態と同様に、ケーシング３、サイドカバー４及びフロントベース５により構成される外装体の内部に収容されることで、撮像装置を構成する。
【００５９】
撮像モジュール７は、調光ユニットとして、例えば減光フィルタ等のフィルタユニット５０が採用される。フィルタユニット５０は、本体５１と、本体５１の一部に形成された調光部５２とを有する。調光部５２は、本体５１に形成された開口Ｆと、本体５１の内部に収容され開口Ｆを介して光学ブロック２０の光軸上に配置されるフィルタ部材（調光部材）で構成される。開口Ｆの周縁部には、上述の第１の実施形態と同様に、光学ブロック２０の第１の支持部２４に係合可能な第１の係合部５１１と、第２の支持部２５に係合可能な第２の係合部とがそれぞれ形成されている。
【００６０】
フィルタユニット５０はさらに、ガイドフレーム５１４を有する。ガイドフレーム５１４は、光学ブロック２０のガイド２３１ａ，２３１ｂにそれぞれ係合しＹ軸方向への本体５１の移動をガイドする一対のガイドレール５１４ａ，５１４ｂを有する。本実施形態の撮像モジュール７は、これらガイド２３１ａ，２３１ｂとガイドレール５１４ａ，５１４ｂとによるガイド作用を受けることで、光学ブロック２０に対するフィルタユニット５０の挿脱が可能に構成されている。
【００６１】
本実施形態の撮像モジュール７は、のレンズマウント２１と、ガイドフレーム５１４とを相互にネジ固定することで、光学ブロック２０とフィルタユニット５０とが相互に一体化される。フロントベース５に対する撮像モジュール７の固定部は、ガイドフレーム５１４に設けられてもよいし、レンズマウント２１に設けられてもよい。
【００６２】
以上、本技術の実施形態について説明したが、本技術はこれに限定されることはなく、本技術の技術的思想に基づいて種々の変更が可能である。
【００６３】
例えば以上の実施形態では、撮像素子としてＣＭＯＳイメージャを採用したが、これに替えてＣＣＤイメージャを用いてもよい。
【００６４】
また、以上の実施形態では、撮像装置１を動画撮影用のカメラに適用した例を説明したが、静止画撮影用のカメラにも本技術は適用可能である。
【００６５】
また、以上の実施形態では、調光ユニットとしてメカニカルシャッタまたはフィルタユニットを例に挙げて説明したが、これらに限られず、調光ユニットとして、スクエア型のシャッタやフォーカルプレーンシャッタ等が用いられてもよい。
【００６６】
なお、本技術は以下のような構成も採ることができる。
（１）第１の軸方向に光軸を有する光学レンズと、
前記第１の軸方向において前記光学レンズと対向する撮像素子と、
前記光学レンズから前記撮像素子への入射光束を変調する調光部を有し、前記第１の軸方向に直交する第２の軸方向から前記光学レンズと前記撮像素子との間に装着されることで前記調光部を前記光軸上に配置する調光ユニットと、
前記光学レンズを支持する第１の支持部と、前記撮像素子を支持する第２の支持部と、前記第１の支持部と前記第２の支持部とを相互に連結する連結部とを有し、前記第１の支持部と前記第２の支持部と前記連結部との間に、前記第１の軸方向及び前記第２の軸方向とに各々直交する第３の軸方向において前記調光ユニットが貫通する空間部を形成する支持部材とを具備する撮像装置。
（２）上記（１）に記載の撮像装置であって、
前記撮像素子は、ＣＭＯＳイメージャであり、
前記調光ユニットは、前記調光部として前記入射光束を所定周期で遮蔽する遮光機構を有するメカニカルシャッタである撮像装置。
（３）上記（１）に記載の撮像装置であって、
前記調光部は、前記入射光束の光量を調節するフィルタである撮像装置。
（４）上記（１）から（３）の何れか一項に記載の撮像装置であって、
前記調光ユニットは、前記第１の支持部と係合する第１の係合部と、前記第２の支持部と係合する第２の係合部と、前記第２の軸方向において前記連結部と対向する挿入端部とを含む本体をさらに有する撮像装置。
（５）上記（４）に記載の撮像装置であって、
前記調光部は、前記本体に形成され前記空間部に臨む開口と、前記開口を介して前記光軸上に配置される調光部材とを有し、
前記第１の係合部及び前記第２の係合部は、前記開口の周縁部にそれぞれ形成される撮像装置。
（６）上記（４）又は（５）に記載の撮像装置であって、
前記第１の支持部と前記第１の係合部との間をシールする第１のシール部と、前記第２の支持部と前記第２の係合部との間をシールする第２のシール部と、前記連結部と前記挿入端部との間をシールする第３のシール部とを有するシール部材をさらに具備する撮像装置。
（７）上記（４）から（６）の何れか一項に記載の撮像装置であって、
前記調光ユニットは、前記第２の軸方向に延在し、前記調光部を挟んで前記第３の軸方向に相互に対向する、前記本体に固定された一対のガイドレールをさらに有し、
前記支持部材は、前記一対のガイドレールにそれぞれ係合し、前記調光ユニットの前記第２の軸方向への移動をガイドするガイド部をさらに有する撮像装置。
（８）上記（１）から（７）の何れか一項に記載の撮像装置であって、
前記支持部材と前記調光ユニットとを共通に支持するベース部をさらに具備する撮像装置。
（９）上記（８）に記載の撮像装置であって、
前記調光ユニットは、前記ベース部と前記本体との間に配置され前記本体を前記ベースに弾性的に支持する弾性部材をさらに有する撮像装置。
【符号の説明】
【００６７】
１…撮像装置
２，７…撮像モジュール
５…フロントベース
６…光学レンズ
２０…光学ブロック
２１…レンズマウント
２２…撮像素子
２３…支持部材
２４…第１の支持部
２５…第２の支持部
２６…連結部
３０，５０…調光ユニット
３１，５１…本体
３２，５２…調光部
２３１ａ，２３１ｂ…ガイド
３１１…第１の係合部
３１２…第２の係合部
３１３…挿入端部
３１４ａ，３１４ｂ，５１４ａ，５１４ｂ…ガイドレール
Ｆ…開口
Ｐ…空間部
Ｓ…シール部材
Ｓ１…第１のシール部
Ｓ２…第２のシール部
Ｓ３…第３のシール部
【図１】
2012220721.tif 000003
【図２】
2012220721.tif 000004
【図３】
2012220721.tif 000005
【図４】
2012220721.tif 000006
【図５】
2012220721.tif 000007
【図６】
2012220721.tif 000008
【図７】
2012220721.tif 000009
【図８】
2012220721.tif 000010
【図９】
2012220721.tif 000011